(57)【特許請求の範囲】
【請求項１】
内張りを内側パネルの車内側表面に固定している内張り用クリップの頭部を該内張り用クリップの係止部から切除することにより内張りを内側パネルから取り外し可能ならしめ、内張りを内側パネルから取り外した後、内側パネルを取り外すと共に内張り用クリップの係止部を除去し、パネル間配設物の交換、修理等の所定の作業を行なった後、再び内側パネルを取り付け、該内側パネルの元の位置に内張りを合わせ、内張りと内側パネルとにおける前記係止部を挿通させていた透孔には軸部の一端に支持板を備えると共に該軸部の周囲に多数の抜け止め用棒状突起を突設してなる付替え係止部を該支持板を内張りの車内側表面に臨ませた状態で嵌着し、該付替え係止部の支持板上に前記切除された頭部を接着するようにしたことを特徴とする、自動車内における内張り用クリップの付け替え方法。
【請求項２】
前記付替え係止部における抜け止め用棒状突起は基端から先端に向かって徐々に前記支持板に近付く方向に傾斜していることを特徴とする請求項１の自動車内における内張り用クリップの付け替え方法。
【請求項３】
前記付替え係止部は、軸部の一端に支持板を備えると共に該軸部の周囲に多数の抜け止め用棒状突起を突設し、更に該軸部の周囲に少なくとも左右一対の板状体を前記透孔の内壁に密接するように該軸部と平行に突設してなることを特徴とする請求項１又は２の自動車内における内張り用クリップの付け替え方法。
【請求項４】
前記付替え係止部は除去された元の係止部に対応させて切断した後に前記透孔に嵌着するようにしたことを特徴とする請求項１〜３のいずれかの自動車内における内張り用クリップの付け替え方法。
【請求項５】
前記付替え係止部における支持板は前記切除された頭部よりも小さ目に切断するようにしたことを特徴とする請求項４の自動車内における内張り用クリップの付け替え方法。
【請求項６】
軸部の一端に支持板を備えると共に該軸部の周囲に抜け止め手段を突設してなり、内張りを内側パネルの車内側表面に固定している内張り用クリップから切除された頭部を該支持板に接着するようにしたことを特徴とする、自動車内における内張り用クリップの付け替えに用いられる内張り用クリップの付替え係止部。
【発明の詳細な説明】
【０００１】
【発明の属する技術分野】
本発明は、自動車内における内張り用クリップの付け替え方法及びその付け替えに用いられる内張り用クリップの付替え係止部に関するものである。
【０００２】
特許請求の範囲を含む本明細書における「パネル間配設物」とは、自動車における内側パネルと外側パネルとの間の空間に配設された窓ガラス昇降用モータ、配線等をいうものとする。内側パネルと外側パネルにはドアパネルにおける内側パネルと外側パネルが含まれる。
【０００３】
パネル間配設物の交換、修理等を行なう際には、一旦内側パネルを取り外す必要がある。しかして、内側パネルの車内側表面には内張りが内張り用クリップにより固定されているため、内側パネルを取り外すためには、まず内張り用クリップを除去して内張りを内側パネルから取り外さなければならない。続いて内側パネルを取り外し、パネル間配設物の交換、修理等を行なった後、再び内側パネルを取り付けると共に内側パネルの車内側表面に内張りを内張り用クリップにより固定するのである。即ち、内側パネルの車内側表面に対する内張りの取り外しと取り付けとを行なう際に内張り用クリップの付け替えを行なうのであるが、本発明はこのような内張り用クリップの付け替えを行なう方法及びその付け替えに用いられる内張り用クリップの付替え係止部に係るものである。
【０００４】
【従来の技術】
内張り用クリップとしては、一端に頭部を備えた係止部の他端を略矢印状に形成してなるもの（図１参照）が一般に使用されている。パネル間配設物の交換、修理等を行なう際には、一般に、内張り用クリップの頭部を破壊することにより内張りを内側パネルから取り外し可能ならしめ、内張りを内側パネルから取り外した後、内側パネルを取り外すと共に内張り用クリップの係止部を除去する。パネル間配設物の交換、修理等の所定の作業を行なった後、再び内側パネルを取り付け、内張りと内側パネルとにおける前記係止部を挿通させていた透孔に新しい内張り用クリップを嵌着することにより内張りを内側パネルの車内側表面に固定するという手法が取られている。
【０００５】
【発明が解決しようとする課題】
しかるに、内張り用クリップにおける頭部の寸法、形状、色彩、模様等は種々に相違しているが、パネル間配設物の交換、修理等を行なう際に、破壊した内張り用クリップと同一の寸法、形状、色彩、模様等を備えた頭部を有する新しい内張り用クリップを使用することが望まれる。蓋し、同一の自動車内においては、同一の寸法、形状、色彩、模様等を備えた頭部を有する内張り用クリップを統一的に使用することが車内のデザイン上好ましいからである。しかるに、破壊した内張り用クリップと同一の寸法、形状、色彩、模様等を備えた頭部を有する新しい内張り用クリップを入手することは極めて困難である。
【０００６】
このような状況に鑑み、本発明は、パネル間配設物の交換、修理等を行なうに当り、取り外した内張り用クリップの頭部と同一の寸法、形状、色彩、模様等を備えた頭部を有する新しい内張り用クリップを入手することができない場合においても、付け替えた内張り用クリップの頭部と当該自動車内における他の内張り用クリップの頭部との間における寸法、形状、色彩、模様等の同一性を確保しようとしてなされたものである。
【０００７】
【課題を解決するための手段】
上記課題を解決するために、本発明は下記の自動車内における内張り用クリップの付け替え方法及びその付け替えに用いられる内張り用クリップの付替え係止部を提供するものである。
【０００８】
（１）内張りを内側パネルの車内側表面に固定している内張り用クリップの頭部を該内張り用クリップの係止部から切除することにより内張りを内側パネルから取り外し可能ならしめ、内張りを内側パネルから取り外した後、内側パネルを取り外すと共に内張り用クリップの係止部を除去し、パネル間配設物の交換、修理等の所定の作業を行なった後、再び内側パネルを取り付け、該内側パネルの元の位置に内張りを合わせ、内張りと内側パネルとにおける前記係止部を挿通させていた透孔には軸部の一端に支持板を備えると共に該軸部の周囲に多数の抜け止め用棒状突起を突設してなる付替え係止部を該支持板を内張りの車内側表面に臨ませた状態で嵌着し、該付替え係止部の支持板上に前記切除された頭部を接着するようにしたことを特徴とする、自動車内における内張り用クリップの付け替え方法（請求項１）。
【０００９】
（２）前記付替え係止部における抜け止め用棒状突起は基端から先端に向かって徐々に前記支持板に近付く方向に傾斜している（請求項２）。
【００１０】
（３）前記付替え係止部は、軸部の一端に支持板を備えると共に該軸部の周囲に多数の抜け止め用棒状突起を突設し、更に該軸部の周囲に少なくとも左右一対の板状体を前記透孔の内壁に密接するように該軸部と平行に突設してなるものとする（請求項３）。
【００１１】
（４）前記付替え係止部は除去された元の係止部に対応させて切断した後に前記透孔に嵌着する（請求項４）。
【００１２】
（５）前記付替え係止部における支持板は前記切除された頭部よりも小さ目に切断する（請求項５）。
【００１３】
（６）軸部の一端に支持板を備えると共に該軸部の周囲に抜け止め手段を突設してなり、内張りを内側パネルの車内側表面に固定している内張り用クリップから切除された頭部を該支持板に接着するようにしたことを特徴とする、自動車内における内張り用クリップの付け替えに用いられる内張り用クリップの付替え係止部（請求項６）。
【００１４】
【発明の実施の形態】
次に、本発明の実施の形態を添付図面に従って説明する。
【００１５】
内張り１は、図１に示すように、内張り用クリップ３により内側パネル５の車内側表面（図１における上面）に固定されている。内張り用クリップ３は係止部３ａの一端に頭部３ｂを備えさせてなるものである。符号７に示すものは外側パネルである。内側パネル５と外側パネル７との間にパネル間配設物（図示せず。）が配設されている。
【００１６】
パネル間配設物の交換、修理等の作業に伴う内張り用クリップの付け替えは下記の如く行われる。
【００１７】
▲１▼内張り用クリップの頭部の切除
内張り１を内側パネル５の車内側表面に固定している内張り用クリップ３の頭部３ｂを該内張り用クリップ３の係止部３ａから切除することにより内張り１を内側パネル５から取り外し可能ならしめる。図２参照。切除した頭部３ｂはこれを暫時保管する。
【００１８】
▲２▼内張りの取り外し
内張り１を内側パネル５から取り外し、内側パネル５を露出させる。
【００１９】
▲３▼内側パネルの取り外しと内張り用クリップの除去
内側パネル５を取り外すと共に内張り用クリップ３の係止部３ａを内側パネル５から除去する。
【００２０】
▲４▼パネル間配設物の交換、修理等
パネル間配設物の交換、修理等の所定の作業を行なう。
【００２１】
▲５▼内側パネルの取り付けと内側パネルに対する内張りの位置合わせ
パネル間配設物の交換、修理等が完了した後、再び内側パネル５を元の位置に取り付け、該内側パネル５における元の位置に内張り１を合わせる。図３参照。
【００２２】
▲６▼付替え係止部の嵌着
内張り１と内側パネル５とにおける前記係止部３ａを挿通させていた透孔９には付替え係止部１１を該付替え係止部１１における後述の支持板を内張り１の車内側表面に臨ませた状態で嵌着する。図３、図４参照。
【００２３】
付替え係止部１１は、一例として図３、図４に示すように、軸部１１ａの一端に支持板１１ｂを備えると共に該軸部１１ａの周囲に抜け止め手段１２を突設してなるものである。
【００２４】
抜け止め手段１２としては、一例として多数の抜け止め用棒状突起１１ｃ、１１ｃ…が軸部１１ａの周囲に突設されている。
【００２５】
付替え係止部１１における抜け止め用棒状突起１１ｃ、１１ｃ…は基端１１ｃ’から先端１１ｃ”に向かって徐々に支持板１１ｂに近付く方向に傾斜していることが望ましい。
【００２６】
図６〜図８に示す付替え係止部１１は、軸部１１ａの一端に支持板１１ｂを備えると共に該軸部１１ａの周囲に抜け止め手段１２として多数の抜け止め用棒状突起１１ｃ、１１ｃ…を突設し、更に該軸部１１ａの周囲に少なくとも左右一対の板状体１１ｄ、１１ｄを前記透孔９の内壁９ａに密接するように該軸部１１ａと平行に突設してなるものである。
【００２７】
付替え係止部１１は除去された元の係止部３ａに対応させて切断した後に前記透孔９に嵌着する。図９〜図１３参照。即ち、付替え係止部１１を予め大き目に形成しておき、使用時に元の係止部３ａに対応させて切断するようになすことにより、付替え係止部１１は種々の寸法、形状等を備えた係止部３ａの代りに使用することができる。
【００２８】
図９は、付替え係止部１１における軸部１１ａを抜け止め用棒状突起１１ｃ、１１ｃ…と共に切断、除去し、係止部１１の長さを短くした状態を示す。
【００２９】
図１０は、付替え係止部１１における抜け止め用棒状突起１１ｃ、１１ｃ…を切断して短くした状態を示す。
【００３０】
図１１は、付替え係止部１１の先端における抜け止め用棒状突起１１ｃ、１１ｃ…を斜めに切断して係止部１１が前記透孔９に入り易くした状態を示す。
【００３１】
図１２は付替え係止部１１における支持板１１ｂを前記切除された頭部３ｂよりも小さ目に切断している状態を示す。支持板１１ｂを前記切除された頭部３ｂよりも小さ目に切断しておけば、該頭部３ｂを該支持板１１上に接着したときの体裁がよくなる。
【００３２】
▲７▼切除された頭部の接着
付替え係止部１１の支持板１１ｂ上に前記切除された頭部３ｂを接着する。図５参照。頭部３ｂの接着面に凹凸がある場合には、必要に応じて該接着面を平らにする。この頭部３ｂは元の内張り用クリップ３の頭部であるから、当該自動車内における他の内張り用クリップの頭部と同一の寸法、形状、色彩、模様等を備えていることはいうまでもない。
【００３３】
【発明の効果】
［請求項１の発明］
内張り用クリップの付け替えを行なう際に、元の内張り用クリップの頭部を係止部から切除し、該頭部を新しい付替え係止部の支持板上に接着するようにしているため、元の内張り用クリップの頭部と同一の寸法、形状、色彩、模様等を備えた頭部を有する新しい内張り用クリップを入手することができない場合においても、付け替えた内張り用クリップの頭部と当該自動車内における他の内張り用クリップの頭部との間における寸法、形状、色彩、模様等の同一性が確保される。付替え係止部は軸部の周囲に多数の抜け止め用棒状突起を突設しているため、該係止部が透孔から抜け出すおそれはない。
【００３４】
［請求項２の発明］
付替え係止部における抜け止め用棒状突起は基端から先端に向かって徐々に前記支持板に近付く方向に傾斜しているため、該係止部の抜け止め効果は一層向上する。
【００３５】
［請求項３の発明］
付替え係止部は、軸部の周囲に少なくとも左右一対の板状体を透孔の内壁に密接するように該軸部と平行に突設しているため、該透孔内における係止部の位置が固定される。
【００３６】
［請求項４の発明］
付替え係止部は除去された元の係止部に対応させて切断した後に前記透孔に嵌着するようにしているため、種々の寸法、形状を備えた当該元の係止部について同一の寸法、形状を備えた付替え係止部を使用することができる。
【００３７】
［請求項５の発明］
付替え係止部における支持板は前記切除された頭部よりも小さ目に切断するようにしたため、該頭部を支持板上に接着したときの体裁がよくなる。
【００３８】
［請求項６の発明］
請求項６の内張り用クリップの付替え係止部は、自動車内における内張り用クリップの付け替えに好ましく用いられる。
【図面の簡単な説明】
【図１】内張りが内張り用クリップにより内側パネルの車内側表面に固定されている状態を示す断面図である。
【図２】内張り用クリップの頭部を切除した状態を示す断面図である。
【図３】付替え係止部と透孔とを示す断面図である。
【図４】付替え係止部を透孔に嵌着した状態を示す断面図である。
【図５】付替え係止部の支持板上に切除された頭部を接着した状態を示す断面図である。
【図６】付替え係止部の変形例を透孔に嵌着した状態を示す断面図である。
【図７】同上付替え係止部の正面図である。
【図８】同上付替え係止部と透孔とを示す説明図である。
【図９】付替え係止部を切断している状態を示す斜視図である。
【図１０】付替え係止部を切断している状態を示す別の斜視図である。
【図１１】付替え係止部を切断している状態を示す更に別の斜視図である。
【図１２】付替え係止部を切断している状態を示す更に別の斜視図である。
【図１３】付替え係止部を切断した状態を示す斜視図である。
【符号の説明】
１  内張り
３  内張り用クリップ
３ａ  係止部
３ｂ  頭部
５  内側パネル
７  外側パネル
９  透孔
９ａ  内壁
１１  付替え係止部
１１ａ  軸部
１１ｂ  支持板
１１ｃ  抜け止め用棒状突起
１１ｃ’  基端
１１ｃ”  先端
１１ｄ  板状体
１２  抜け止め手段
【図１】
0003645867.tif 000002
【図２】
0003645867.tif 000003
【図３】
0003645867.tif 000004
【図４】
0003645867.tif 000005
【図５】
0003645867.tif 000006
【図６】
0003645867.tif 000007
【図７】
0003645867.tif 000008
【図８】
0003645867.tif 000009
【図９】
0003645867.tif 000010
【図１０】
0003645867.tif 000011
【図１１】
0003645867.tif 000012
【図１２】
0003645867.tif 000013
【図１３】
0003645867.tif 000014